(57)【要約】      （修正有）【課題】不衛生で過酷な環境となるコンテナ搬送時でも、布団セットの品質を維持することができ、かつ梱包作業およびその開封作業が容易で、各作業時間の短縮も図れるとともに、三つ折りの従来品に比べて布団セット梱包物のコンパクト化が図れ、それの保管スペースが小さくなり、輸送コストも低減できる布団セット梱包物を提供する。【解決手段】布団セット梱包物１０は、少なくとも敷布団、掛布団および枕を有する布団セット１６を、圧縮しながらロール状に巻き取ったロール状布団セット１８と、ロール状布団セット１８を圧縮状態のまま封入して、袋入りロール状布団セット１９を得るためのビニール袋２０と、袋入りロール状布団セット１９を収納する段ボール箱２１とを備えたものである。【選択図】図１
0003221058.tif 000002
【実用新案登録請求の範囲】
【請求項１】
少なくとも敷布団、掛布団および枕を有する布団セットを、圧縮しながらロール状に巻き取ったロール状布団セットと、
該ロール状布団セットを圧縮状態のまま封入して、袋入りロール状布団セットとするためのプラスチック袋と、
前記袋入りロール状布団セットを収納する梱包箱とを備えたことを特徴とする布団セット梱包物。
【請求項２】
前記ロール状布団セットは、それぞれ幅方向に二つ折りした前記敷布団と前記掛布団との間に、前記枕、掛布団用カバーおよびこれらを収納する布団袋を挟み込んだものであることを特徴とする請求項１に記載の布団セット梱包物。
【請求項３】
前記プラスチック袋はビニール袋で、
前記梱包箱は、一辺の長さを前記袋入りロール状布団セットの直径と同じとした端面が正方形の段ボール箱であることを特徴とする請求項１または請求項２に記載の布団セット梱包物。
【考案の詳細な説明】
【技術分野】
【０００１】
この考案は、布団セットを市場へ出荷するために梱包した布団セット梱包物に関する。
【背景技術】
【０００２】
布団の販売形態として、例えば、敷布団、掛布団および枕を１つに纏めた布団セットが知られている。このような布団セットは、例えば、各三つ折りされた敷布団や掛布団に枕を添えたものを、不織布からなる大判な矩形状の布団ケースに収納して流通していた（非特許文献１など）。
【先行技術文献】
【特許文献】
【０００３】
【非特許文献１】［平成３１年１月４日検索］、インターネット＜ＵＲＬ：ｈｔｔｐｓ：／／ｗｗｗ．ｎｉｔｏｒｉ−ｎｅｔ．ｊｐ／ｓｔｏｒｅ／ｊａ／ｅｃ／Ｓｈｉｎｇｕ／ＦｕｔｏｎＳｅｔ／７５４２７８３？ｐｔｒ＝ｉｔｅｍ＞
【考案の開示】
【考案が解決しようとする課題】
【０００４】
非特許文献１の布団セット梱包物は、このように敷布団、掛布団および枕を不織布製の大判な布団ケースに収納したものであって、その輸送時には、一般的に高温、多湿となるコンテナ内に搭載されていた。そのため、不織布の繊維隙間を通してコンテナ内の湿気、埃および臭い等が布団や枕に吸着し、布団等にとっては不衛生で過酷な環境となっていた。
また、敷布団や掛布団は、それぞれ三つ折り状態で布団ケースに収納していたため、梱包時における布団ケースへの敷布団、掛布団および枕の詰め込み作業が面倒であるとともに、梱包の開封時には、三つ折りされた掛布団や敷布団をそれぞれ広げる手間がかかっていた。
【０００５】
そこで、考案者は鋭意研究の結果、圧縮しながらロール状に巻き取った布団セットをプラスチック袋に封入し、得られた袋入りロール状布団セットを、従来の布団ケースより小型の梱包箱（段ボール箱等）に収納する二重梱包構造とすれば、上述した課題はすべて解消されることを知見し、本考案を完成させた。
【０００６】
すなわち、本考案は、このような問題点に鑑みてなされたもので、不衛生で過酷な環境となるコンテナ搬送時でも、布団セットの品質を維持することができ、かつ梱包作業およびその開封作業が容易で、各作業時間の短縮も図れるとともに、コンパクトで省スペース化も図れる布団セット梱包物を提供することを目的としている。
【課題を解決するための手段】
【０００７】
請求項１に記載の考案は、少なくとも敷布団、掛布団および枕を有する布団セットを、圧縮しながらロール状に巻き取ったロール状布団セットと、該ロール状布団セットを圧縮状態のまま封入して、袋入りロール状布団セットとするためのプラスチック袋と、前記袋入りロール状布団セットを収納する梱包箱とを備えたことを特徴とする布団セット梱包物である。
【０００８】
布団セットの構成体としては、少なくとも敷布団と掛布団と枕とを有していればよい。その他、例えば、掛布団用カバー、敷布団カバー、シーツ、枕カバー、布団袋、毛布、肌布団等を採用してもよい。
布団の種類は任意である。例えば、羽毛布団、羽根布団、綿布団（真綿布団、木綿わた布団）、羊毛布団、化繊布団等を採用することができる。このうち、羽毛布団および羽根布団は、主に掛布団である。
布団のサイズも限定されない。例えば、シングルサイズ、セミダブルサイズ、ダブルサイズおよびキングサイズ等が挙げられる。
枕の種類は任意である。例えば、羽根枕、パイプ枕、スポンジ枕（低反発枕等）といったものを採用することができる。
【０００９】
布団セットを圧縮しながらロール状に巻き取る方法は任意である。例えば、手作業でもよいし、巻き取り装置による自動巻取りでもよい。
さらに、プラスチック袋の素材は限定されない。例えば、ビニール樹脂、ポリプロピレン、ポリエチレン等を採用することができる。
また、プラスチック袋の種類は、ロール状布団セットを封入できるものであれば任意である。例えば、密封袋でも、圧縮袋でもよい。
梱包箱の種類は任意である。例えば、段ボール箱やプラスチック箱でもよい。
【００１０】
請求項２に記載の考案は、前記ロール状布団セットは、それぞれ幅方向に二つ折りした前記敷布団と前記掛布団との間に、前記枕、掛布団用カバーおよびこれらを収納する布団袋を挟み込んだものであることを特徴とする請求項１に記載の布団セット梱包物である。
敷布団と掛布団との間に挟み込まれるこれらの枕、掛布団用カバー、布団袋の配置や使用数は任意である。
【００１１】
請求項３に記載の考案は、前記プラスチック袋はビニール袋で、前記梱包箱は、一辺の長さを前記袋入りロール状布団セットの直径と同じとした端面が正方形の段ボール箱であることを特徴とする請求項１または請求項２に記載の布団セット梱包物である。
【考案の効果】
【００１２】
本考案の布団セット梱包物によれば、布団セット梱包物は、布団セットを圧縮しながらロール状に巻き取ってロール状布団セットとし、これを圧縮状態のままでプラスチック袋に封入する。その後、得られた袋入りロール状布団セットを梱包箱に収納することで、二重の梱包構造とした。
その結果、布団セットにとって不衛生で過酷な環境となるコンテナ搬送を行っても、コンテナ内の湿気、埃および臭い等が布団や枕に吸着することがなく、布団セットの品質を維持することができる。
【００１３】
しかも、梱包時には、従来品のように敷布団と掛布団とをそれぞれ三つ折りにすることなく、これらの布団を重ね合わせた状態で、布団セットを圧縮しながらロール状に巻き取ればよい。そのため、布団セットの梱包作業が容易となり、その作業時間の短縮も図ることができる。しかも、三つ折りの従来品に比べて布団セット梱包物のコンパクト化が図れ、それの保管スペースが小さくなるとともに、その輸送コストも低下する。
また、梱包の開封時には、ロール状に巻き取られた布団セットを開くだけで、これらの布団を同時に開くことができる。これにより、布団セットの梱包の開封作業が容易で、その作業時間も短縮する。
【００１４】
特に、請求項２に記載の考案によれば、ロール状布団セットとして、それぞれ幅方向に二つ折りした敷布団と掛布団との間に、枕、掛布団用カバーおよび布団袋を挟み込んで圧縮しながら巻き取ったものを採用した。そのため、ロール状布団セット、ひいては布団セット梱包物の長さが短くなる。その結果、布団セット梱包物のさらなるコンパクト化が図れ、それの保管スペースがより以上に小さくなるとともに、その輸送コストもさらに低下する。
すなわち、従来品は、各三つ折り状態の敷布団と掛布団とに枕を添えたものを大判で矩形状の布団ケースに収納したものであったため、布団セット梱包物が嵩張り、保管スペースが大きくなって輸送コストも高騰していた。これに対して本考案では、幅方向に二つ折りした敷布団と掛布団との間に、枕等を挟み込んで圧縮しながら巻き取ったロール状布団セットを採用したため、これらの不都合が解消された。
【００１５】
また、請求項３に記載の考案によれば、プラスチック袋としてビニール袋を採用し、また梱包箱として、一辺の長さが袋入りロール状布団セットの直径と同一とした端面が正方形の段ボール箱を採用した。そのため、布団セット梱包物のさらなるコンパクト化および低コスト化を図ることができる。
【図面の簡単な説明】
【００１６】
【図１】この考案の実施例１に係る布団セット梱包物の一部を切欠した斜視図である。
【図２】この考案の実施例１に係る布団セット梱包物の一部を構成する布団セットの分解斜視図である。
【図３】この考案の実施例１に係る布団セットの梱包方法の説明図である。
【考案を実施するための形態】
【００１７】
以下、この考案の実施例を具体的に説明する。ここではシングルサイズの布団セットを例にとる。
【実施例】
【００１８】
図１〜図３において、１０は本考案の実施例１に係る布団セット梱包物で、この布団セット梱包物１０は、敷布団１１、掛布団１２、枕１３、掛布団用カバー１４およびこれらを収納する布団袋１５を有する布団セット１６を、布団巻取り装置１７によって圧縮しながらロール状に巻き取ったロール状布団セット１８と、ロール状布団セット１８を圧縮状態のまま封入して、袋入りロール状布団セット１９を得るためのビニール袋（プラスチック袋）２０と、袋入りロール状布団セット１９を収納する段ボール箱（梱包箱）２１とを備えたものである。
【００１９】
以下、図２および図３を参照して、これらの構成体を具体的に説明する。
敷布団１１はシングルサイズの綿布団で、掛布団１２はシングルサイズの羽毛布団である。
また、枕１３は標準サイズの羽根枕で、掛布団用カバー１４は綿織布からなるものである。
布団袋１５は不織布製の大判な矩形状をした手提げ袋である。
【００２０】
さらに、ビニール袋２０は、圧縮状態のロール状布団セット１８の直径（約３０ｃｍ）と内径が同じで、かつその長さもロール状布団セット（約７５ｃｍ）１８と略同じサイズを有した円筒状の密閉袋である。
さらにまた、段ボール箱２１は、一辺の長さが袋入りロール状布団セット１９の直径と同一で、かつその長さも袋入りロール状布団セット１９の長さと略同じサイズを有した端面が正方形の角箱である。
【００２１】
布団巻取り装置１７は、縦長な布団セット１６を載置するテーブル２２と、テーブル２２の一端部上に配されて、布団セット１６の先端部を、モータ回転する上下一対の繰り出しローラ２３により挟んで先方へ繰り出す繰り出し手段２４と、テーブル２２の一端外方に配されて、繰り出された布団セット１６の先端部を上下方向から２本のクランプバー２５によりクランプし、各クランプバー２５をモータ回転することで、断面円弧状の一対のガイド板２６により外周面をガイドしつつ、布団セット１６を圧縮しながらロール状に巻き取る巻き取り手段２７とを有している。
【００２２】
装置使用時には、それぞれ幅方向に二つ折りした縦長な敷布団１１と掛布団１２との間に、枕１３、掛布団用カバー１４および布団袋１５を挟み込んだ布団セット１６をテーブル２２に載置し、モータ回転中の上下一対の繰り出しローラ２３間に布団セット１６の先端部を挟み込む。これにより、布団セット１６がテーブル２２の先方へ繰り出され、その先端部が上下一対のクランプバー２５によりクランプされる。その後、各クランプバー２５をモータ回転することで、一対のガイド板２６によって外周面をガイドしつつ、布団セット１６が圧縮されながらロール状に巻き取られる。
【００２３】
次に、図３を参照して、布団セット１６の梱包方法（布団セット梱包物１０の作製方法）を説明する。
図３（ａ）に示すように、それぞれ幅方向に二つ折りした敷布団１１と掛布団１２との間に、所定の順序で枕１３、掛布団用カバー１４および布団袋１５を挟み込む。
その後、図３（ｂ）に示すように、縦長となった布団セット１６を、上述したように一対のガイド板２６によって外周面をガイドしつつ、図３（ｃ）に示すように、布団巻取り装置１７により圧縮しながらロール状に巻き取る。
【００２４】
次いで、図３（ｄ）に示すように、各ガイド板２６を挿入のガイドにして、ビニール袋２０をロール状布団セット１８に被せる。その後、ビニール袋２０を被せた状態で、ロール状布団セット１８を各クランプバー２５および各ガイド板２６からそれぞれ引き抜き、ビニール袋２０を密封して袋入りロール状布団セット１９とする。
その後、図３（ｅ）に示すように、得られた袋入りロール状布団セット１９を段ボール箱２１に挿入し、蓋を閉めることにより、布団セット梱包物１０を作製する。
【００２５】
このように、ここでは布団セット梱包物１０として、布団セット１６を圧縮しながらロール状に巻き取ったロール状布団セット１８を圧縮状態のままビニール袋２０に封入し、得られた袋入りロール状布団セット１９を段ボール箱２１に収納する二重梱包構造のものを採用した。そのため、布団セット１６にとって不衛生で過酷な環境となるコンテナ搬送を行っても、コンテナ内の湿気、埃および臭い等が各布団１１，１２や枕１３に吸着することがなく、布団セット１６の品質を維持することができる。
【００２６】
しかも、梱包時には、従来品のように敷布団と掛布団とをそれぞれ三つ折りにせず、単にこれらの布団１１，１２を重ね合わせた状態で、布団セット１６を圧縮しながらロール状に巻き取るため、布団セット１６の梱包作業が容易となり、その作業時間の短縮も図ることができる。一方、梱包の開封時にあっても、ロール状に巻き取られた布団セット１６を開くだけで、これらの布団１１，１２を同時に開くことができる。そのため、布団セット１６の梱包の開封作業が容易で、その作業時間も短縮する。これにより、三つ折りの従来品に比べて布団セット梱包物１０のコンパクト化が図れ、保管スペースが小さくなるとともに、輸送コストも低減することができる。
【００２７】
また、ここではロール状布団セット１８として、それぞれ幅方向に二つ折りした敷布団１１と掛布団１２との間に、枕１３、掛布団用カバー１４および布団袋１５を挟み込んで圧縮しながら巻き取ったものを採用したため、ロール状布団セット１８、ひいては布団セット梱包物１０の長さを短くすることができる。これにより、布団セット梱包物１０のさらなるコンパクト化が図れ、保管スペースがより小さくなるとともに、輸送コストもさらに低減できる。
すなわち、従来品は、各三つ折り状態の敷布団と掛布団とに枕を添えたものを大判で矩形状の布団ケースに収納したものであったため、布団セット梱包物が嵩張り、保管スペースが大きくなって輸送コストも高騰していた。これに対して、この布団セット梱包物１０では、幅方向に二つ折りした敷布団１１と掛布団１２との間に、枕１３等を挟み込んで圧縮しながら巻き取ったロール状布団セット１８を採用したため、これらの問題が発生しない。
【００２８】
また、ここではプラスチック袋としてビニール袋２０を採用し、また梱包箱として、一辺の長さが袋入りロール状布団セット１９の直径と同一の端面が正方形の段ボール箱２１を採用したため、布団セット梱包物１０のさらなるコンパクト化および低コスト化を図ることもできる。
【産業上の利用可能性】
【００２９】
この考案は、布団セットを市場へ出荷するために梱包した布団セット梱包物の技術として有用である。
【符号の説明】
【００３０】
１０  布団セット梱包物
１１  敷布団
１２  掛布団
１３  枕
１４  掛布団用カバー
１５  布団袋
１６  布団セット
１８  ロール状布団セット
１９  袋入りロール状布団セット
２０  ビニール袋（プラスチック袋）
２１  段ボール箱（梱包箱）
【図１】
0003221058.tif 000003
【図２】
0003221058.tif 000004
【図３】
0003221058.tif 000005